(57)【要約】【課題】制御信号、通話信号、音声放送信号および映像信号を全てディジタル伝送で行う場合でも、より効率のよい端末装置間の通信伝送路接続、伝送制御を可能とした集合住宅インターホンシステムを提供する。【解決手段】制御装置ＣＵに複数の端末装置Ｔが接続された集合住宅インターホンシステムであって、システムにおける各種制御を行うための制御信号および端末装置間での通話の際の通話信号のための前記制御装置および各端末装置を接続するバス型の半２重伝送路ＨＤと、音声放送信号および映像信号のための前記制御装置および各端末装置を接続するバス型の１方向伝送路ＯＤと、を備えた。【選択図】        図１
2004304457.tif 000002
【特許請求の範囲】
【請求項１】
制御装置に複数の端末装置が接続された集合住宅インターホンシステムであって、システムにおける各種制御を行うための制御信号および端末装置間での通話の際の通話信号のための前記制御装置および各端末装置を接続するバス型の半２重伝送路と、音声放送信号又は映像信号のための前記制御装置および各端末装置を接続するバス型の１方向伝送路と、を備えたことを特徴とする集合住宅インターホンシステム。
【請求項２】
前記半２重伝送路が、複数の通信インターフェースを有し通常は全ての通信インターフェースが入力に設定されいずれかの通信インターフェースに信号が入力されると他の通信インターフェースを出力に設定し、入力された信号を出力に設定された各通信インターフェースへ出力し、入力がなくなると再び全ての通信インターフェースが入力設定に戻される半２重伝送路用のハブユニットを含むことを特徴とする請求項１に記載の集合住宅インターホンシステム。
【請求項３】
前記１方向伝送路が、１つの入力用の受信インターフェースと複数の出力用の送信インターフェースを有し、入力用の受信インターフェースへの入力信号を複数の出力用の送信インターフェースに分配する１方向伝送路用のハブユニットを含むことを特徴とする請求項１又は２に記載の集合住宅インターホンシステム。
【発明の詳細な説明】
【０００１】
【発明の属する技術分野】
この発明は集合住宅インターホンシステムに係わり、特に各住戸の住宅情報盤、集合玄関に取り付けられた集合玄関機、管理人室の管理室親機等の各端末装置間の信号伝送に関する。
【０００２】
【従来の技術】
集合住宅インターホンシステムでは、システムにおける各種制御を行うための制御信号、端末装置間での通話の際の通話信号、館内放送等の音声放送信号、および玄関等の前の監視カメラ等での映像信号を扱う。これらの信号の伝送を全てディジタル回線で行ったインターホンシステムとして、従来、端末装置間をカスケード接続したものがあった（例えば特許文献１参照）。
【０００３】
【特許文献１】
特開２００１−２８５５０１号公報
【０００４】
【発明が解決しようとする課題】
このように、通常アナログ信号である放送信号や画像信号も含めてディジタル化したインターホンシステムにおいては、これらの信号は情報量が多いために高速な通信伝送路が要求され、これを実現するために例えば端末装置間はカスケード接続されるが、カスケード接続した場合には各端末装置にはその両側の端末装置に対してそれぞれトランシーバが必要であり（すなわち各端末装置にそれぞれ２つのトランシーバが必要）、また端末装置数が増えるに従い接続が複雑になりさらに伝送制御も複雑になり、効率のよい伝送が行えないという課題があった。
【０００５】
この発明は上記の課題を解消するためになされたもので、制御信号、通話信号、音声放送信号および映像信号を全てディジタル伝送で行う場合でも、より効率のよい端末装置間の通信伝送路接続、および伝送制御を可能とした集合住宅インターホンシステムを提供することを目的とする。
【０００６】
【課題を解決するための手段】
上記の目的に鑑みこの発明は、制御装置に複数の端末装置が接続された集合住宅インターホンシステムであって、システムにおける各種制御を行うための制御信号および端末装置間での通話の際の通話信号のための前記制御装置および各端末装置を接続するバス型の半２重伝送路と、音声放送信号又は映像信号のための前記制御装置および各端末装置を接続するバス型の１方向伝送路と、を備えたことを特徴とする集合住宅インターホンシステムにある。
【０００７】
【発明の実施の形態】
実施の形態１．
図１はこの発明の一実施の形態による集合住宅インターホンシステムの構成、特にその伝送路の接続を示す図である。このインターホンシステムにおいては、制御信号、通話信号、音声放送信号、及び映像信号がディジタル化されて伝送路に伝送される。また制御装置ＣＵによって、伝送路を伝送される各種信号の伝送が制御される。制御装置ＣＵには複数のハブＨが直並列に接続され、各ハブＨには各住戸の住宅情報盤等からなる複数の端末装置Ｔが接続されている。各ハブＨに接続された複数の端末装置Ｔはそれぞれ異なるアドレスを有しており図１に示すように、システムにおける各種制御を行うための制御信号および端末間での通話の際の通話信号のような受信確認が必要な信号の伝送を行うバス型の半２重伝送路ＨＤ（各装置の下側に示す）と、館内放送等の音声放送信号および玄関等の前の監視用のＴＶカメラ等での映像信号のような１方向へのみの流しっ放しの信号のためのバス型の１方向伝送路ＯＤ（各装置の上側に示す）と、により接続されている。なお、半２重伝送路ＨＤは例えばＲＳ４８５規格のものであり、１方向伝送路ＯＤは例えばＲＳ４２２規格のものである。また端末装置Ｔは住宅情報盤だけでなく、音声放送信号を住宅情報盤へ出力する管理人室親機、及び集合玄関の映像信号を住宅情報盤へ出力する集合玄関機も含まれ、制御装置の近傍に、ハブＨを介して接続される。
【０００８】
半２重伝送路ＨＤは、制御装置ＣＵと端末装置Ｔでのハンドシェイク動作が必要であり、タイミング等の制御が複雑になるが、１方向伝送路ＯＤの場合、制御装置ＣＵは端末装置Ｔとの同期を取る必要もなく信号を送出するのみである。端末装置Ｔにおいても受信データに応答する必要がないので、必要な信号のみを受け取るだけでよい。ＴＶカメラによる監視映像の伝送や管理室からの音声放送には、リアルタイム制が要求され、かつ住宅情報盤への単方向のデータの流れしかないため１方向伝送路ＯＤを用いた方が伝送の手順が単純になり、効率の良いシステムを構成できる。警報信号やシステム制御信号等（これらを制御信号とする）は確実なデータの受け渡しが必要であり、端末装置Ｔ間等での通話の際の通話信号は双方向のデータ通信が不可欠である。このようなデータ信号伝送には半２重伝送路ＨＤを用いて行う。勿論、データ量が少なければ半２重伝送路のみを設けて全ての信号を伝送させるようにしてもよい。このように双方向の情報伝達が必要なデータと一方向の情報伝達のみのデータとを分離して形成して、バス型の伝送路を構成すると、カスケード型のものに比べて伝送データの要求を満たし、かつシンプルな制御手順のネットワークが構成できる。
【０００９】
図２には各ハブＨに設けられる半２重伝送路用のハブユニットの構成の一例を示す。制御装置側の通信Ｉ／Ｆ（インターフェース）ｈ１と端末装置側の通信Ｉ／Ｆ）ｈ２〜ｈ４は出力（送信）モードか入力（受信）モードかの何れかのモードに設定されるトランシーバである。初期状態（通常状態）はすべての通信Ｉ／Ｆ  ｈ１〜ｈ４は入力モードに設定されており、受信検出部ｈ６により何れかの通信Ｉ／Ｆに信号が入力されたことが検出されると方向制御部ｈ７により即座に他の通信Ｉ／Ｆは出力モードに設定される。入力された信号は受信バッファｈ５に一時記憶されかつ波形成形されて、出力に設定された通信Ｉ／Ｆから出力される。タイマｈ８は信号のタイムアウトを検出するためのもので、受信信号の検出によってタイマｈ８はリセットされる。タイマｈ８がタイムアウトすると方向制御部ｈ７もリセットされる。即ち入力に設定された通信Ｉ／Ｆからの信号入力が一定期間無いと、再び全ての通信Ｉ／Ｆが入力に設定され初期状態に戻る。なお、任意の通信Ｉ／Ｆの入力に対して残りの全てのＩ／Ｆが出力になるような構成としてもよいし、あるいは制御装置側の通信Ｉ／Ｆと端末装置側の通信Ｉ／Ｆからの２方向の制御としてもよい。
【００１０】
図３には各ハブＨに設けられる１方向伝送路用のハブユニットの構成の一例を示す。１方向伝送路用のハブユニットの構成は図２から受信検出部、タイマ、方向制御部を省いたもので、制御装置側は常に入力の受信Ｉ／Ｆ  ｈ１１、端末装置側は常に出力の送信Ｉ／Ｆ  ｈ２２〜ｈ４４となり、入力用の受信Ｉ／Ｆｈ１１への入力信号を複数の出力用の送信Ｉ／Ｆｈ２２〜ｈ４４に分配するようになっている。受信バッファｈ５５は信号を一時記憶しかつ波形成形機能を有する。
【００１１】
なお、本願発明は図１の制御装置ＣＵと１つのハブＨとこれにバス型の半２重伝送路ＨＤおよびバス型の１方向伝送路ＯＤで接続された複数の端末装置Ｔからなる構成を基本構成とするもので、図１はこれをさらに直並列に接続して大規模ネットワークを構成する場合の構成を示すものである。このように構成することにより、バス型のネットワークで大規模なネットワークを安価に構築することができる。また上述のハブＨの半２重伝送路および１方向伝送路のＩ／Ｆは様々な規格の汎用トランシーバが存在するため、伝送容量とコストに合わせて選択ができる。また、従来のように各端末装置が２つのトランシーバを設ける必要がない。また、イーサネット（登録商標）の配線を使用した場合に、通常４ペアの電線の２ペアが使用されるが、この残りの２ペアの電線を利用して配線すれば、無駄な配線のないシステムとすることができる。
なお、本実施の形態においては、ハブを介して端末装置を伝送路に接続するようにしたが、半２重伝送路及び１方向伝送路それぞれに直接、端末装置及び制御装置を接続するようにしてもよい。
【００１２】
【発明の効果】
以上のようにこの発明によれば、制御装置に複数の端末装置が接続された集合住宅インターホンシステムであって、システムにおける各種制御を行うための制御信号および端末間での通話の際の通話信号のための前記制御装置および各端末装置を接続するバス型の半２重伝送路と、音声放送信号および映像信号のための前記制御装置および各端末装置を接続するバス型の１方向伝送路と、を備えたことを特徴とする集合住宅インターホンシステムとしたので、制御信号、通話信号、音声放送信号および映像信号を全てディジタル伝送で行う場合でも、より効率のよい端末装置間の通信伝送路接続、および伝送制御を可能とした集合住宅インターホンシステムを提供することができる。
【図面の簡単な説明】
【図１】この発明の一実施の形態による集合住宅インターホンシステムの構成を示す図である。
【図２】この発明の集合住宅インターホンシステムにおける各ハブＨに設けられる半２重伝送路用のハブユニットの構成の一例を示す図である。
【図３】この発明の集合住宅インターホンシステムにおける各ハブＨに設けられる１方向伝送路用のハブユニットの構成の一例を示す図である。
【符号の説明】
ＣＵ  制御装置、Ｈ  ハブ、Ｔ  端末装置、ｈ１〜ｈ４  通信Ｉ／Ｆ、ｈ５，ｈ５５  受信バッファ、ｈ６  受信検出部、ｈ７  方向制御部、ｈ８  タイマ、ｈ１１  受信Ｉ／Ｆ、ｈ２２，ｈ３３，ｈ４４  送信Ｉ／Ｆ。
【図１】
2004304457.tif 000003
【図２】
2004304457.tif 000004
【図３】
2004304457.tif 000005